【手続補正書】
【提出日】平成21年1月16日(2009.1.16)
【手続補正１】
【補正対象書類名】特許請求の範囲
【補正対象項目名】全文
【補正方法】変更
【補正の内容】
【特許請求の範囲】
【請求項１】
被写体を撮影して画像データを生成する撮像手段と、
前記画像データから所定の対象物を検出する対象物検出手段と、
露出条件を決定する露出決定手段と、
合焦位置を決定する合焦決定手段と、
本露光撮影を指示する撮影指示手段と、
該撮影指示手段による本露光撮影指示に応じて所定時間経過の計時を行い、所定時間経過後に前記本露光撮影を行わせるセルフタイマー撮影手段と、を備えてなる撮像装置において、
前記セルフタイマー撮影手段を使用して前記本露光撮影を行うとき、
前記計時の開始前に前記対象物検出手段が前記対象物の検出を行い、
前記計時の開始から前記本露光撮影が行われるまでの間に、少なくとも１回以上、前記対象物検出手段が前記対象物の検出を行い、
前記計時の開始から前記所定時間経過までの間に、前記対象物が新たに検出されたか否かを判別し、
前記対象物が新たに検出されたときには、前記所定時間経過前に前記対象物検出手段が前記対象物の検出を行い、該対象物の検出結果に応じて前記露出決定手段及び前記合焦決定手段が露出条件及び／又は合焦位置を決定し、
前記対象物が新たに検出されなかったときには、前記所定時間経過後でかつ前記本露光撮影前に、前記対象物検出手段が前記対象物の検出を行い、該対象物の検出結果に応じて前記露出決定手段及び前記合焦決定手段が露出条件及び／又は合焦位置を決定することを特徴とする撮像装置。
【請求項２】
被写体を撮影して画像データを生成する撮像手段と、
前記画像データから所定の対象物を検出する対象物検出手段と、
露出条件を決定する露出決定手段と、
合焦位置を決定する合焦決定手段と、
本露光撮影を指示する撮影指示手段と、
撮影指示後の所定のタイミングで前記本露光撮影を行わせる自動撮影手段と、を備えてなる撮像装置において、
前記自動撮影手段を使用して前記本露光撮影を行うとき、
前記撮影指示手段により前記本露光撮影が指示されたときから前記本露光撮影が行われるまでの間に、少なくとも１回以上、前記対象物検出手段が前記対象物の検出を行い、該対象物の検出結果に応じて前記露出決定手段及び前記合焦決定手段が露出条件及び／又は合焦位置を決定することを特徴とする撮像装置。
【請求項３】
前記セルフタイマー撮影手段を使用して前記本露光撮影が行われるとき、前記撮影指示手段による前記本露光撮影の指示に応じて、前記露出決定手段及び／又は前記合焦決定手段により前記対象物検出手段による前記対象物の検出結果によらず露出条件及び／又は合焦位置が決定されることを特徴とする請求項１に記載の撮像装置。
【請求項４】
前記自動撮影手段を使用して前記本露光撮影が行われるとき、前記撮影指示手段による前記本露光撮影の指示に応じて、前記露出決定手段及び／又は前記合焦決定手段により前記対象物検出手段による前記対象物の検出結果によらず露出条件及び／又は合焦位置が決定されることを特徴とする請求項２に記載の撮像装置。
【請求項５】
前記セルフタイマー撮影手段を使用して前記本露光撮影が行われるとき、前記所定時間経過中の所定時に、前記露出決定手段及び前記合焦決定手段により前記対象物の検出結果に応じて露出条件及び／又は合焦位置が決定されることを特徴とする請求項１に記載の撮像装置。
【請求項６】
前記対象物検出手段により、複数の対象物が検出されたとき、又は複数の対象物が検出されてから所定時間経過したときに、前記露出決定手段及び／又は前記合焦決定手段により露出条件及び／又は合焦位置が決定されることを特徴とする請求項１又は２に記載の撮像装置。
【請求項７】
前記合焦決定手段が、前記対象物検出手段により所定の対象物が検出されたときに該対象物の領域において前記合焦位置を決定し、前記対象物検出手段により所定の対象物が検出されなかったときに所定領域において前記合焦位置を決定することを特徴とする請求項１又は２に記載の撮像装置。
【請求項８】
前記撮影指示手段により前記本露光撮影が指示される前に、前記合焦決定手段により第一の合焦位置を決定するとき、
前記対象物検出手段により所定の対象物が検出されているときには、該検出された対象物の領域において前記第一の合焦位置を決定し、
該第一の合焦位置が決定された後で前記撮影指示手段により前記本露光撮影が指示されたとき、
前記第一の合焦位置が決定された後で、前記対象物検出手段により所定の対象物が検出されているときには、該検出された対象物の領域において前記合焦決定手段により前記第二の合焦位置を決定し、
前記対象物検出手段により所定の対象物が検出されていないときには、前記合焦決定手段による合焦位置の決定を行なわないことを特徴とする請求項１又は２に記載の撮像装置。
【請求項９】
特定の撮影モードを選択して実行可能なモード選択手段をさらに備え、
前記モード選択手段により前記特定の選択モードが選択されて、前記セルフタイマー撮影手段を使用して前記本露光撮影が行われるとき、
前記撮影指示手段により前記本露光撮影の開始を指示されてから前記本露光撮影が行われるまでの間に、前記露光決定手段及び／又は前記合焦決定手段により前記対象物の検出結果に応じて露出条件及び／又は合焦位置が決定されることを特徴とする請求項１に記載の撮像装置。
【請求項１０】
特定の撮影モードを選択して実行可能なモード選択手段をさらに備え、
前記モード選択手段により前記特定の選択モードが選択されて、前記自動撮影手段を使用して前記本露光撮影が行われるとき、
前記撮影指示手段により前記本露光撮影の開始を指示されてから前記本露光撮影が行われるまでの間に、前記露光決定手段及び／又は前記合焦決定手段により前記対象物の検出結果に応じて露出条件及び／又は合焦位置が決定されることを特徴とする請求項２に記載の撮像装置。
【請求項１１】
前記特定の撮影モードが、ユーザ自身を撮影する自分録り撮影モード又は前記対象物を顔とする顔検出利用撮影モードであることを特徴とする請求項９又は１０に記載の撮像装置。
【請求項１２】
前記モード選択手段により、前記特定の撮影モードを選択するのみで、前記セルフタイマー撮影手段を使用して前記本露光撮影が行われるとき、
前記撮影指示手段による前記本露光撮影の開始の指示に応じて、前記露光決定手段及び／又は前記合焦決定手段により露出条件及び／又は合焦位置が決定されることを特徴とする請求項９又は１１に記載の撮像装置。
【請求項１３】
前記モード選択手段により、前記特定の撮影モードを選択するのみで、前記自動撮影手段を使用して前記本露光撮影が行われるとき、
前記撮影指示手段による前記本露光撮影の開始の指示に応じて、前記露光決定手段及び／又は前記合焦決定手段により露出条件及び／又は合焦位置が決定されることを特徴とする請求項１０又は１１に記載の撮像装置。
【請求項１４】
前記セルフタイマー撮影手段を使用して前記本露光撮影が行われるとき、
前記対象物検出手段により検出される前記対象物の数が増えた後に、前記露出決定手段及び／又は前記合焦決定手段により露出条件及び／又は合焦位置が決定されることを特徴とする請求項１に記載の撮像装置。
【請求項１５】
前記自動撮影手段を使用して前記本露光撮影が行われるとき、
前記対象物検出手段により検出される前記対象物の数が増えた後に、前記露出決定手段及び／又は前記合焦決定手段により露出条件及び／又は合焦位置が決定されることを特徴とする請求項２に記載の撮像装置。
【請求項１６】
前記セルフタイマー撮影手段を使用して前記本露光撮影が行われるとき、
前記対象物検出手段により検出される前記対象物の数が増えてから所定時間経過後に、前記露出決定手段及び／又は前記合焦決定手段により露出条件及び／又は合焦位置が決定されることを特徴とする請求項１に記載の撮像装置。
【請求項１７】
前記自動撮影手段を使用して前記本露光撮影が行われるとき、
前記対象物検出手段により検出される前記対象物の数が増えてから所定時間経過後に、前記露出決定手段及び／又は前記合焦決定手段により露出条件及び／又は合焦位置が決定されることを特徴とする請求項２に記載の撮像装置。
【請求項１８】
前記セルフタイマー撮影手段を使用して前記本露光撮影が行われるとき、
前記対象物検出手段により検出される前記対象物の数が増えて、かつ、前記対象物の検出結果が安定した後に、前記露出決定手段及び／又は前記合焦決定手段により露出条件及び／又は合焦位置が決定されることを特徴とする請求項１に記載の撮像装置。
【請求項１９】
前記自動撮影手段を使用して前記本露光撮影が行われるとき、
前記対象物検出手段により検出される前記対象物の数が増えて、かつ、前記対象物の検出結果が安定した後に、前記露出決定手段及び／又は前記合焦決定手段により露出条件及び／又は合焦位置が決定されることを特徴とする請求項２に記載の撮像装置。
【請求項２０】
被写体を撮影して画像データを生成する撮像手段と、
前記画像データから所定の対象物を検出する対象物検出手段と、
露出条件を決定する露出決定手段と、
合焦位置を決定する合焦決定手段と、
本露光撮影を指示する撮影指示手段と、
該撮影指示手段よる本露光撮影指示に応じて所定時間経過の計時を行い、所定時間経過後に前記本露光撮影を行なわせるセルフタイマー撮影手段、及び／又は、撮影指示後の所定のタイミングで前記本露光撮影を行わせる自動撮影手段と、を備えてなる撮像装置において、
前記セルフタイマー撮影手段又は前記自動撮影手段を使用して前記本露光撮影を行うとき、
前記露出決定手段及び前記合焦決定手段により前記対象物の検出結果に応じて露出条件及び／又は合焦位置を決定するタイミングをユーザが任意に設定可能であることを特徴とする撮像装置。
【請求項２１】
前記対象物検出手段による検出条件を、複数の異なる状態の対象物のいずれかを検出する条件に設定する設定手段及び／又は前記対象物検出手段により検出された複数の異なる状態の対象物のいずれかを選択する選択手段をさらに備えてなることを特徴とする請求項１〜２０のいずれか１項に記載の撮像装置。
【請求項２２】
前記設定手段による設定又は前記選択手段による選択が、前記セルフタイマー撮影手段又は自動撮影手段を使用して本露光撮影が行われるときに行われるものであることを特徴とする請求項２１に記載の撮像装置。
【請求項２３】
前記複数の異なる状態の対象物が、向きの異なる対象物又は大きさの異なる対象物又は傾きの異なる対象物であることを特徴とする請求項２１又は２２に記載の撮像装置。
【請求項２４】
前記選択手段が、前記検出された対象物のうち変動量が所定値よりも大きいものを選択しないことを特徴とする請求項２１又は２２に記載の撮像装置。
【請求項２５】
前記セルフタイマー撮影手段を使用して前記本露光撮影が行われるとき、前記所定時間経過中の所定時に、前記対象物検出手段による前記検出又は前記選択手段による前記選択を行うことを特徴とする請求項２１〜２４のいずれか１項に記載の撮像装置。
【請求項２６】
前記設定手段による設定及び／又は前記選択手段による選択が、ユーザが任意に行うことが可能であることを特徴とする請求項２１〜２５のいずれか１項に記載の撮像装置。
【請求項２７】
前記対象物検出手段により前記所定の対象物が検出されなかったときに、前記所定の対象物が未検出であることを撮影者及び／又は被撮影者に伝達する伝達手段を、さらに備えてなることを特徴とする請求項１〜２６のいずれか１項に記載の撮像装置。
【請求項２８】
前記対象物検出手段により前記所定の対象物が検出されたときに、前記所定の対象物が検出されたことを撮影者及び／又は被撮影者に伝達する伝達手段を、さらに備えてなることを特徴とする請求項１〜２７のいずれか１項に記載の撮像装置。
【請求項２９】
前記伝達手段が、文字及び／又はマークの表示、発光素子の制御、音声発信の少なくとも１つを行うものであることを特徴とする請求項２７又は２８に記載の撮像装置。
【請求項３０】
前記伝達手段を複数備えてなり、該複数の伝達手段の中から１つをユーザによって任意に選択又は設定可能であることを特徴とする請求項２７〜２９のいずれか１項に記載の撮像装置。
【請求項３１】
前記発光素子の制御が、ＡＦ補助光を制御するものであることを特徴とする請求項２９又は３０に記載の撮像装置。
【請求項３２】
前記ＡＦ補助光の制御が、該ＡＦ補助光の点滅発光を含むものであることを特徴とする請求項３１に記載の撮像装置。
【手続補正２】
【補正対象書類名】明細書
【補正対象項目名】０００５
【補正方法】変更
【補正の内容】
【０００５】
本発明の撮像装置は、被写体を撮影して画像データを生成する撮像手段と、
前記画像データから所定の対象物を検出する対象物検出手段と、
露出条件を決定する露出決定手段と、
合焦位置を決定する合焦決定手段と、
本露光撮影を指示する撮影指示手段と、
該撮影指示手段による本露光撮影指示に応じて所定時間経過の計時を行い、所定時間経過後に前記本露光撮影を行わせるセルフタイマー撮影手段と、を備えてなる撮像装置において、
前記セルフタイマー撮影手段を使用して前記本露光撮影を行うとき、
前記計時の開始前に前記対象物検出手段が前記対象物の検出を行い、
前記計時の開始から前記本露光撮影が行われるまでの間に、少なくとも１回以上、前記対象物検出手段が前記対象物の検出を行い、
前記計時の開始から前記所定時間経過までの間に、前記対象物が新たに検出されたか否かを判別し、
前記対象物が新たに検出されたときには、前記所定時間経過前に前記対象物検出手段が前記対象物の検出を行い、該対象物の検出結果に応じて前記露出決定手段及び前記合焦決定手段が露出条件及び／又は合焦位置を決定し、
前記対象物が新たに検出されなかったときには、前記所定時間経過後でかつ前記本露光撮影前に、前記対象物検出手段が前記対象物の検出を行い、該対象物の検出結果に応じて前記露出決定手段及び前記合焦決定手段が露出条件及び／又は合焦位置を決定することを特徴とするものである。
【手続補正３】
【補正対象書類名】明細書
【補正対象項目名】０００６
【補正方法】変更
【補正の内容】
【０００６】
本発明の第二の撮像装置は、被写体を撮影して画像データを生成する撮像手段と、
前記画像データから所定の対象物を検出する対象物検出手段と、
露出条件を決定する露出決定手段と、
合焦位置を決定する合焦決定手段と、
本露光撮影を指示する撮影指示手段と、
撮影指示後の所定のタイミングで前記本露光撮影を行わせる自動撮影手段と、を備えてなる撮像装置において、
前記自動撮影手段を使用して前記本露光撮影を行うとき、
前記撮影指示手段により前記本露光撮影が指示されたときから前記本露光撮影が行われるまでの間に、少なくとも１回以上、前記対象物検出手段が前記対象物の検出を行い、該対象物の検出結果に応じて前記露出決定手段及び前記合焦決定手段が露出条件及び／又は合焦位置を決定することを特徴とするものである。
【手続補正４】
【補正対象書類名】明細書
【補正対象項目名】０００７
【補正方法】削除
【補正の内容】
【手続補正５】
【補正対象書類名】明細書
【補正対象項目名】００１０
【補正方法】変更
【補正の内容】
【００１０】
本発明の撮像装置は、対象物検出手段により、複数の対象物が検出されたとき、又は複数の対象物が検出されてから所定時間経過した時に、露出決定手段及び／又は合焦決定手段により露出条件及び／又は合焦位置が決定されてもよい。
【手続補正６】
【補正対象書類名】明細書
【補正対象項目名】００１２
【補正方法】変更
【補正の内容】
【００１２】
本発明の撮像装置は、撮影指示手段により本露光撮影が指示される前に、合焦決定手段により第一の合焦位置を決定するとき、
対象物検出手段により所定の対象物が検出されているときには、該検出された対象物の領域において第一の合焦位置を決定し、
第一の合焦位置が決定された後で撮影指示手段により本露光撮影が指示されたとき、
第一の合焦位置が決定された後で、対象物検出手段により所定の対象物が検出されているときには、該検出された対象物の領域において合焦決定手段により第二の合焦位置を決定し、
対象物検出手段により所定の対象物が検出されていないときには、合焦決定手段による合焦位置の決定を行なわないことが好ましい。
【手続補正７】
【補正対象書類名】明細書
【補正対象項目名】００１９
【補正方法】変更
【補正の内容】
【００１９】
本発明の第三の撮像装置は、被写体を撮影して画像データを生成する撮像手段と、
前記画像データから所定の対象物を検出する対象物検出手段と、
露出条件を決定する露出決定手段と、
合焦位置を決定する合焦決定手段と、
本露光撮影を指示する撮影指示手段と、
該撮影指示手段よる本露光撮影指示に応じて所定時間経過の計時を行い、所定時間経過後に前記本露光撮影を行なわせるセルフタイマー撮影手段、及び／又は、撮影指示後の所定のタイミングで前記本露光撮影を行わせる自動撮影手段と、を備えてなる撮像装置において、
前記セルフタイマー撮影手段又は前記自動撮影手段を使用して前記本露光撮影を行うとき、
前記露出決定手段及び前記合焦決定手段により前記対象物の検出結果に応じて露出条件及び／又は合焦位置を決定するタイミングをユーザが任意に設定可能であることを特徴とするものである。
【手続補正８】
【補正対象書類名】明細書
【補正対象項目名】００２７
【補正方法】変更
【補正の内容】
【００２７】
また本発明の撮像装置は、対象物検出手段により所定の対象物が検出されなかったときに、所定の対象物が未検出であることを撮影者及び／又は被撮影者に伝達する伝達手段及び／又は対象物検出手段により所定の対象物が検出されたときに、所定の対象物が検出されたことを撮影者及び／又は被撮影者に伝達する伝達手段を、さらに備えてなるものであることが好ましい。
【手続補正９】
【補正対象書類名】明細書
【補正対象項目名】００２８
【補正方法】変更
【補正の内容】
【００２８】
なお本発明の撮像装置は、前記伝達手段が、文字及び／又はマークの表示、発光素子の制御、音声発信の少なくとも１つを行うものであることが好ましい。また前記伝達手段を複数備えてなり、該複数の伝達手段の中から１つをユーザによって任意に選択又は設定可能であることが好ましい。前記発光素子の制御が、ＡＦ補助光を制御するものであることが好ましい。前記ＡＦ補助光の制御が、該ＡＦ補助光の点滅発光を含むものであることが好ましい。
【手続補正１０】
【補正対象書類名】明細書
【補正対象項目名】０１２０
【補正方法】変更
【補正の内容】
【０１２０】
そこで本実施形態では、セルフタイマー撮影時には検出対象となる顔の大きさを、例えば画像短辺の１／Ｍ以上の大きさのみ、画像短辺の１／Ｎ以下の大きさのみ、画像短辺の１／Ｍから１／Ｎの大きさのみ等、所定範囲の大きさのみを検出するように顔検出の条件を設定する。